(57)【特許請求の範囲】
【請求項１】
服に装着できる名刺入れであって、
一面側に名刺収納部を有し略方形状を有する面状の中央面部と、
前記中央面部の下辺側に折り曲げ部を介して連結され中央面部に対向して第１の方向に折り畳み可能であり、名刺収納部を有する面状の前面部と、
前記中央面部の側辺部側に別の折り曲げ部を介して連結されて、前記中央面部に対向して磁石によって吸着される面状の背面部と、を備え、
前記磁石は、前記名刺入れの重さに耐え得る吸着力を有し、
前記背面部は、前記中央面部に対向して前記第１の方向に交差する第２の方向に折り畳み可能であることを特徴とする名刺入れ。
【請求項２】
前記中央面部には、上下方向に出し入れ可能であると共に上部側に名刺収納部の開口部を設け、
前記前面部には左右方向に出し入れ可能な名刺収納部の開口部を設けていることを特徴とする請求項１に記載の名刺入れ。
【請求項３】
前記前面部の外側における短辺側に開口部を設けると共に、収納された名刺の表記部分を視認可能な窓部を有する名刺収納部を備えていることを特徴とする請求項１又は２に記載の名刺入れ。
【請求項４】
手提げ部材を着脱可能とする係止部を前記中央面部、前記前面部、前記背面部のいずれかに設けたことを特徴とする請求項１から請求項３のいずれか1 項に記載の名刺入れ。
【請求項５】
前記中央面部、前記前面部、及び前記背面部は、それぞれ磁石を有し、
前記前面部、及び前記背面部を折り畳んだときに、前記中央部に設けられた前記磁石と、前記前面部、及び前記背面部に設けられた磁石とが、互いに吸着するように構成されていることを特徴とする請求項１から請求項４のいずれか1 項に記載の名刺入れ。
【発明の詳細な説明】
【技術分野】
【０００１】
本発明は、容易に名刺交換が可能な名刺入れに関するものである。
【背景技術】
【０００２】
一般的な名刺入れは、二つ折りのタイプで中の名刺が落下しないよう名刺収
納部の開口部は折り曲げ方向に備えられている。
名刺収納部には、自身の名刺と名刺交換先の名刺を収納できることで実用上十分ではあるが、名刺交換の行為に着目した場合、名刺入れ本体をポケット等からすぐに取り出すことができる状態であれば問題はないが、服装によっては名刺入れを収納するポケット等がない場合速やかな名刺交換ができないおそれがあり、名刺入れ本体を常に身に着けておくことが可能になれば、利用者にとって取り扱いが良好な製品になり得る。
【０００３】
身に着けることについての着想をもつ製品として、例えば特許文献１に開示
のような「携帯電話機ホルダー付き財布」が提案されているが、条件としてベルトが必須となりポケットの有無と同様の問題が残る。
【先行技術文献】
【特許文献】
【０００４】
【特許文献１】特願２００１-２１７８０５公報
【発明の概要】
【発明が解決しようとする課題】
【０００５】
解決しようとする問題点は、例えばポケットのないジャケットやワンピースにおいて名刺入れが入らない場合の名刺交換が速やかに実行できない点であり、名刺入れは仕事上いつでも名刺交換ができるよう可能な限り身に着けておくことが実用上重要である。
【０００６】
例えばセミナーや交流会、特に飲食を伴う懇親会等における名刺交換の際、ポケットの無いまたはポケットが浅い、小さい等の服装の場合、名刺入れは鞄の中等に入れておくことになり、急な名刺交換や名刺交換のチャンスがあった時、状況によっては鞄まで移動し名刺入れを取出す行為が必要となり、その間に相手を見失ったり、他の人と既に名刺交換を行われてしまいタイミングを逃してしまう欠点があった。
また、名刺入れを常に手に持っているのは現実的ではないのと、ポケットのある服装を予め着ていかなければならないことは多少なりともストレスにつながり、速やかに名刺交換ができず本来の仕事の目的目標達成を阻害することのないような名刺入れを提供することにある。
【課題を解決するための手段】
【０００７】
本発明に係る名刺入れは、一面側に名刺収納部を有する略方形状の中央面部と、この中央面部に折り曲げ部を介して連結され中央面部に対向して折り畳み可能であり、名刺収納部を有する前面部と、前記中央面部に連結されて、前記中央面部に磁石によって吸着される背面部とを備えたものである。
連結は、例えば中央面部と背面部が一体的で、折り曲げ部を介して連結する場合がある。
その一体的というのは、中央面部と背面部が同じ素材で形成されていてもいいし、中央面部とは別体のものを縫合して一体化したものでもいい。
また、例えば中央面部と背面部が分離されていて、紐状の連結部材でつながっている連結も含む。
前記連結は、前記中央面部の他面側に折り曲げ部を介した連結であり、前記背面部は、前記中央面部に対向して折り畳み可能である。
前記中央面部の形状は長方形状であって、前記背面部は前記中央面部の短辺側に折り曲げ部を介して連結される構成としている。
前記中央面部の下辺側に前面部が折り曲げ部を介して連結されており、前記中央面部の上下方向に出し入れ可能な名刺収納部の開口部を設け、前記前面部には左右方向に出し入れ可能な名刺収納部の開口部を設けている。
前記前面部の外側における短辺側に開口部を設けると共に、収納された名刺の表記部分を視認可能な窓部を有する名刺収納部を備えている。
手提げ部材を着脱可能とする係止部を前記中央面部、前記前面部、前記背面部のいずれかに設けている。
本発明は、実用上にすぐれた名刺入れを提案するものであり、かかる課題を解決するために本発明においては、ジャケット等の縁に挟み込むことで固定できる構成としている。
またワンピース等挟み込む部分のない服装の場合には手提げや肩掛けができる手提げ部材を備えている。
【０００８】
また本体を身に着けたままの状態で名刺入れを開くことができ、各名刺収納部に収納されている名刺の出し入れが従来よりスムーズに行うことができる構成としている。
【発明の効果】
【０００９】
本発明に係る名刺入れは、名刺入れを手に持つことなく身に着けておくことができ、名刺交換をスムーズに行うことができる。
【図面の簡単な説明】
【００１０】
【図１】本発明に係る名刺入れを開いた状態を示す斜視図である。
【図２】本発明に係る名刺入れを閉じた状態を示す斜視図である。
【図３】本発明に係る名刺入れの内側の展開図である。
【図４】本発明に係る名刺入れの図３の裏側の展開図と内蔵ネオジム磁石の位置図である。
【図５】本発明の実施形態の一つであるジャケットに名刺入れ本体を装着させた状態を示す正面図である。
【図６】本発明の実施形態に係る付属品の一つ名札部を示す正面図である。
【図７】本発明の実施形態に係る付属品の一つ手提げ部材を示す正面図である。
【図８】本発明の実施形態の一つであるビニール製の名札を名刺入れ本体に吸着させた状態を示す正面図である。
【図９】本発明の実施形態の一つである手提げ部材を名刺入れ本体に連結させた状態を示す正面図である。
【図１０】本発明の実施形態の一つである名刺収納部を外側に備えた状態を示す斜視図である。
【図１１】本発明の実施形態の一つである鏡を収納させた状態を示す内側の展開図である。
【図１２】本発明の実施形態の一つである中央面部と背面部が紐状の連結部材を介し連結した状態を示す斜視図である。
【発明を実施するための形態】
【００１１】
以下図面において、本発明の一実施の形態を詳述する。
（１）全体構成
本発明に係る名刺入れは、一面側に中央面部内側名刺収納部５を有する略方形状の中央面部２と、この中央面部２に折り曲げ部を介して連結され中央面部２に対向して折り畳み可能であり、前面部内側名刺収納部６を有する前面部３と、前記中央面部２に連結されて、前記中央面部２に磁石によって吸着される背面部４とを備えたものである。
前記連結は、前記中央面部２の他面側に折り曲げ部を介した連結であり、前記背面部４は、前記中央面部２に対向して折り畳み可能である
前記中央面部２の形状は長方形状であって、前記背面部４は前記中央面部２の短辺側に中央面部と背面部の折り曲げ部１２を介して連結される構成としている。
前記中央面部２の下辺側に前面部３が中央面部と前面部の折り曲げ部１１を介して連結されており、前記中央面部２の上下方向に出し入れ可能な前記前面部内側名刺収納部５の前記中央面部内側開口部８を設け、前記前面部３には左右方向に出し入れ可能な前記前面部内側名刺収納部６の前記前面部内側開口部９を設けている。
前記前面部３の外側における短辺側に前面部外側開口部１０をもつ前面部外側名刺収納部７に、収納された名刺の表記部分を視認可能な前面部外側窓部１
４を備え、窓部より名刺表記部分が見えることにより自身の名刺収納機能に加えて名札としての機能も備えている。  
手提げ部材１８を着脱可能とする係止部１５を前記中央面部２、前記前面部３、前記背面部４のいずれかに設けている。
【００１２】
図１において、大きく次の３つより構成されている。
中央面部２、前面部３、背面部４からなり、中央面部２と前面部３は中央面部と前面部の折り曲げ部１１により長手方向内側へ折り畳む形状であり、長手方向の合わさる部分にネオジム磁石１７を内蔵し、磁石により中央面部内側名刺収納部５と前面部内側名刺収納部６が挟まれるようになっていて、収納された名刺が落ちないよう中の名刺が保持される構成になっている。
また背面部４は中央面部２の短辺側に中央面部と背面部の折り曲げ部１２を介して連結され、中央面部内側名刺収納部５を有する中央面部２の他面側短手へ折り畳む形状であり、それぞれの面に内蔵されているネオジム磁石１７により吸着される。
【００１３】
中央面部２に吸着されている背面部４を開き服に装着する。例えば、図５に示すジャケット２４の左右前身頃の合わせ部分に挟み固定する機能をもち、本体の重さに耐え得ることと、服を傷めない適度の吸着力が必要である。
【００１４】
中央面部２と前面部３は、二つ折り形状となっており内側二面にそれぞれ開口部の向きの異なる中央面部内側名刺収納部５と前面部内側名刺収納部６を有し、自身の名刺と交換先の名刺の仕分けを簡便にできる。
【００１５】
また中央面部内側名刺収納部５を有する中央面部２の上部両端に二つの係止部１５を備え、服装により挟み込む部分のないワンピース等の際、図７に示す連結部１９を備えた手提げ部材１８を連結し、常時名刺入れを身に着けておくことが可能である。
【００１６】
図３は、本発明に係る名刺入れの内側展開図を示し、中央面部と前面部の折り曲げ部１１を介して折り畳まれた中央面部２と前面部３が内蔵のネオジム磁石１７により吸着する際、名刺の厚みで吸着部分が接地しない状況になるが、中の名刺は本体がどのような向きになっても落下しない適度な吸着力になっている。
【００１７】
また中央面部２と前面部３が中央面部と前面部の折り曲げ部１１により内側上下で吸着する構成に対し、中央面部２と背面部４は中央面部と背面部の折り曲げ部１２により外側左右で吸着する構成であり従来にはない構成である。
【００１８】
図４は、図３の裏側の展開図を示し、内蔵ネオジム磁石１７の吸着関係について説明する。
中央面部２に内蔵のネオジム磁石１７のＭ７、Ｍ８、Ｍ９と前面部３に内蔵のネオジム磁石１７のＭ１、Ｍ２、Ｍ３部分が中央面部と前面部の折り曲げ部
１１を起点に内側に吸着するが、前記ネオジム磁石１７のＭ８部分については
ネオジム磁石１７を２個重ねることにより吸着力の安定が増す。
また、中央面部２に内蔵のネオジム磁石１７のＭ７、Ｍ９、Ｍ１０、Ｍ１１と背面部４に内蔵のネオジム磁石１７のＭ１２、Ｍ１３、Ｍ１４、Ｍ１５が中央面部と背面部の折り曲げ部１２を起点に外側に吸着し、服を挟み込むことができる。
なお、Ｍ５については他のネオジム磁石１７との吸着関係はないが、図８に示すように磁性板２１を貼り付けた名札部２０を吸着させる際、吸着力の安定のため補助的に内蔵している。
【００１９】
また、本名刺入れ本体１の構成材料は本革製であり高級感をだしているが、背面部４の中央面部と背面部の折り曲げ部１２により内側へ挟み込む面に、布地２２を使うことにより、挟み込む服を傷めず本体を固定することが可能である。
【００２０】
図５は、本発明の実施形態の一つであるジャケットに名刺入れ本体を装着させた状態を示し、この場合中央面部と前面部の折り曲げ部１１を起点として前面部３を前方側へ開いたとき、前記中央面部２に備えられた中央面部内側名刺収納部５の中央面部内側開口部８へのスムーズなアクセスが可能になり、従来より早い名刺交換が可能となる。
【００２１】
図９は、本発明の実施形態の一つである手提げ部材を名刺入れ本体に連結させた状態を示し、本名刺入れを服装により挟み込めない場合、図３に示す両端二つの係止部１５と図７に示す手提げ部材１８に設けた両端二つの連結部１９を連結することにより、手提げに変化することが可能となり、懇親会やパーティ等飲食を伴う場面でも身に着けながら飲食を楽しみとっさの名刺交換にもスムーズに対応が可能となる。
【００２２】
また、手提げ部材１８については長さの種類を設け、短い場合は手提げに長い場合は肩掛けにもなり得ることができ、長さだけでなく素材の種類も考えられる。例えば、人工パールや人工クリスタル等他アクセサリーにもなる素材を使用した場合は名刺入れ本体にも高級感を出すことができ使用者の満足度を上げる効果も期待できる。
他の素材として、布製のリボンや金属のチェーン等使用者の個性や選択する楽しみを与えることも期待できる。
【００２３】
（２）その他の実施例１
その他の実施例１として図８は、本発明の実施形態の一つであるビニール製の名札を名刺入れ本体に吸着させた状態を示し、図４の前面部３に内蔵されて
いるネオジム磁石１７のＭ１〜Ｍ６を利用し、図６に示す名札部２０を適宜吸着させセミナーや交流会等の場面で名札として活躍することも可能である。
【００２４】
図６に示す名札部２０の素材は、市販されているビニール製の名札ケースであり、その内側背面に磁性板２１を貼付けることにより本体１にいつでも容易に着脱可能となる。
【００２５】
その際の磁性板２１については、いくつか種類が考えられる。例えば、鉄製の薄板やより吸着力のある薄板磁石等も考えられるが、名札ケースの薄さや身に着けた名刺入れ本体の邪魔にならないよう極力薄い素材であることと名札ケースを固定できる適度な吸着力が望まれる。
【００２６】
（３）その他の実施例２
前記前面部３の外側における短辺側に前面部外側開口部１０をもつ前面部外側名刺収納部７に、収納された名刺の表記部分を視認可能な前面部外側窓部１４を備え、窓部より名刺表記部分が見えることにより自身の名刺収納機能に加えて名札としての機能も備えている。
【００２７】
具体的には、図２の前面部３が図１０の前面部外側名刺収納部７に前面部外側窓部１４を有する場合、図３の前面部内側名刺収納部６に図１１の前面部内側窓部１３を有する形態も考えられる。
その場合、前記前面部外側名刺収納部７に設けられた前記前面部外側窓部１４は自身の名刺の表記部分が見える程度の窓になっており名札としての機能を果たし、また前記前面部外側窓部１４をビニール素材とし一部を楕円形状に切りかいた切りかき部２６が形成されていることにより、直接収納されている自身の名刺をスライドさせ引き出しがスムーズになり、名刺交換のスピードも格段に上がる効果がある。
【００２８】
またこの場合、図１１の前面部内側名刺収納部６の前面部内側開口部９より鏡２３を収納し、鏡の周辺を支える支持部を有している前面部内側窓部１３を設けたことにより、名刺入れ本体１を服に装着しながら名刺入れを開いた角度により自身を映し出すことが可能となり、交流会や懇親会等で写真撮影等ある場合特に女性は化粧崩れを確認することもでき重宝する。
【００２９】
（４）その他の実施例３
本発明に係る名刺入れは、一面側に中央面部内側名刺収納部５を有する略方形状の中央面部２と、この中央面部２に折り曲げ部を介して連結され中央面部２に対向して折り畳み可能であり、前面部内側名刺収納部６を有する前面部３と、前記中央面部２に連結されて、前記中央面部２に磁石によって吸着される背面部４とを備えたものである。
【００３０】
図１に示す中央面部と背面部の折り曲げ部１２により連結する方法に限定されず、中央面部２と背面部４が分離していても良く、また図１２に示すように紐状の連結部材２５を使用し連結させる構成でも良い。
【００３１】
また、紐状の連結部材２５の形状および素材については、図１２の螺旋形状に限定されない。中央面部２と背面部４を連結できる形状および素材であれば良い。
【００３２】
図４に示す実施形態において、布地２２を除く本体１の構成素材は本革と説明したが、この素材に限定されない。例えば人口皮革やビニール、布地等でも考えられる。
また、布地２２についてもこの素材に限定されない。前記本体１の構成素材の本革や人工皮革、ビニール等も考えられる。
また、図１０の前面部外側窓部１４の素材をビニール素材とし一部を楕円形状に切りかき部２６が形成されていると説明したが、名刺表記を見ることができ、名刺の引き出しが可能であればこれに限定されない。
【００３３】
また、ネオジム磁石１７を円形のものとして説明したが、この形状には限定されない。例えば、名刺入れ本体長辺と並行し内蔵されたネオジム磁石Ｍ１、Ｍ２、Ｍ３、もしくはＭ４、Ｍ５、Ｍ６やＭ７、Ｍ８、Ｍ９またはＭ１０、Ｍ１１やＭ１２，Ｍ１３とＭ１４，Ｍ１５がそれぞれ１本の矩形磁石でも考えら
れる。その際吸着力はどのような向きでも中の名刺が落下しないことと吸着力が強すぎて名刺入れ開口部が開きづらくならないよう配慮する必要がある。
【００３４】
図７に示す実施形態において、係止部１５を名刺入れ本体同様革素材、連結部１９をカニカンとして説明したが、この素材及び形状に限定されない。係止部１５は連結部１９を連結することができる素材及び形状であればよく、例えば貫通孔であってもよい。連結部１９は、係止部１５に連結することができる素材及び形状であればよい。
【００３５】
図３の実施形態において、中央面部２の中央面部内側名刺収納部５のポケットの深さ及び前面部３の前面部内側名刺収納部６の名刺が隠れる部分の大きさ、図１０の前面部３の前面部外側名刺収納部７と前面部外側窓部１４の大きさ及び図１１の前面部３の前面部内側窓部１３の大きさについては、これに限定されない。名刺が出し入れ可能であり、名刺内情報が読み取れ、鏡２３を支えることができる窓部の大きさであればよい。
【００３６】
また、図３の中央面部内側名刺収納部５、図３及び図１１の前面部内側名刺収納部６、図１０の前面部外側名刺収納部７へ収納するものは自身の名刺もし
くは交換先の名刺、鏡等収納位置を限定するものではなく、またそれ以外のも
のを適宜使用者の使い勝手により使い分ければよく限定するものではない。
【００３７】
図１に示す中央面部と背面部の折り曲げ部１２は、中央面部２と背面部４の連結方法を限定するものではなく、一体的に構成されたものであっても良いし、分離していて縫合等により連結させるものでも良い。
【００３８】
以上、図面を参照してこの発明の実施形態を説明したが、この発明は、図示する実施形態のものに限定されない。図示された実施形態に対して、この発明と同一の範囲内において、あるいは均等の範囲内において、種々の修正や変形を加えることが可能である。
【符号の説明】
【００３９】
１    本体
２    中央面部
３    前面部
４    背面部
５    中央面部内側名刺収納部
６    前面部内側名刺収納部
７    前面部外側名刺収納部
８    中央面部内側開口部
９    前面部内側開口部
１０  前面部外側開口部
１１  中央面部と前面部の折り曲げ部
１２  中央面部と背面部の折り曲げ部
１３  前面部内側窓部
１４  前面部外側窓部
１５  係止部
１６  縫糸
１７  ネオジム磁石（Ｍ１〜Ｍ１５）
１８  手提げ部材
１９  連結部
２０  名札部
２１  磁性板
２２  布地
２３  鏡
２４  ジャケット
２５  連結部材
２６  切りかき部
【要約】      （修正有）【課題】ポケットのないジャケットやワンピースにおいて名刺入れが入らない場合でも、身に着けておくことのできる名刺入れを提供する。【解決手段】中央面部２、前面部３、背面部４からなり、中央面部２と前面部３は中央面部と前面部の折り曲げ部１１により長手方向内側へ折り畳む形状であり、長手方向の合わさる部分にネオジム磁石を内蔵し、磁石により中央面部内側名刺収納部５と前面部内側名刺収納部６が挟まれるようになっていて、収納された名刺が落ちないよう中の名刺が保持される構成になっている。また背面部４は中央面部２の短辺側に中央面部と背面部の折り曲げ部１２を介して連結され、中央面部内側名刺収納部５を有する中央面部２の他面側短手へ折り畳む形状であり、それぞれの面に内蔵されているネオジム磁石により吸着される。【選択図】図１【図１】
0006762469.tif 000002
【図２】
0006762469.tif 000003
【図３】
0006762469.tif 000004
【図４】
0006762469.tif 000005
【図５】
0006762469.tif 000006
【図６】
0006762469.tif 000007
【図７】
0006762469.tif 000008
【図８】
0006762469.tif 000009
【図９】
0006762469.tif 000010
【図１０】
0006762469.tif 000011
【図１１】
0006762469.tif 000012
【図１２】
0006762469.tif 000013